(57)【要約】【課題】押圧すると扁平に潰れた状態となる嵩の低い靴をコンパクトに収納することができる携帯に便利なシューズケースを提供すると同時に、そのシューズケースの販促効果を高め、更に、シューズケースとセット販売される靴の販促効果も高める。【解決手段】シューズケース１は、靴の片方を載せるトレー型のケース半体１Ｒと、靴の他方を載せるトレー型のケース半体１Ｌとが、それぞれ靴底の輪郭形状に形成されて左右線対称に配置され、ファスナーＦによって見開き状態に開閉される構成となっている。【選択図】図２
0003209639.tif 000002
【実用新案登録請求の範囲】
【請求項１】
嵩の低い靴をそのアッパー同士を重ね合わせて収納するシューズケースであって、靴の片方を載せるトレー型のケース半体と、靴の他方を載せるトレー型のケース半体とが、それぞれ靴底の輪郭形状に形成されて左右線対称に配置され、ファスナーによって見開き状態に開閉される構成となっていることを特徴とするシューズケース。
【請求項２】
前記ケース半体の一方が、右足靴底の輪郭形状に形成され、前記ケース半体の他方が、左足靴底の輪郭形状に形成されている請求項１記載のシューズケース。
【請求項３】
前記ケース半体が、定型性を有する天然皮革、人工皮革もしくは合成皮革によりトレー型に成形されている請求項１又は２記載のシューズケース。
【請求項４】
前記ケース半体の内面に、靴の踵部もしくは爪先部を挿し込んで保持するホルダ部が設けられている請求項１、２又は３記載のシューズケース。
【考案の詳細な説明】
【技術分野】
【０００１】
本考案は、靴一足分を収納するシューズケースに係り、特に、嵩の低い靴を持ち運ぶ際に便利な薄型でコンパクトなシューズケースに関する。
【背景技術】
【０００２】
図６（ａ）〜（ｃ）は、それぞれシューズケースの公知例を示し、同図（ａ）のシューズケース（靴入れ）６０は、学童が上履き用の靴６１を持ち運ぶ際に使用するもので、防水性と適度な強度を有するナイロン製あるいは合成皮革製の靴収納部６２に、ファスナーＦで開閉して靴６１を出し入れする開口部６３と、持ち運び用の提げ手６４が設けられている（特許文献１参照）。
【０００３】
図６（ｂ）のシューズケース７０は、持ち運び用の提げ手７１が設けられた収納部７２に、外履用のシューズと内履用のシューズとを左右に振り分けて収納するもので、その中央部に沿って内部を外履用収納部７２Ｒと内履用収納部７２Ｌとに分かつ仕切り袋７３が設けられ、外履用収納部７２Ｒと内履用収納部７２Ｌには、夫々その出入口を開閉するファスナーＦが設けられている（特許文献２参照）。
【０００４】
図６（ｃ）のシューズケース８０は、左右一対の持ち運び用ハンドル８１、８１が設けられたトートバッグＴの内部に、靴の右足８２Ｒと左足８２Ｌを個別に収納する二つの収納部８３、８４が設けられ、それら収納部８３、８４に靴を出し入れするための扉８５がバッグＴの側面に設けられている（特許文献３参照）。
【０００５】
図６に示す公知のシューズケース６０、７０及び８０は、それらを片手に提げて持ち運ぶための提げ手６４、７１やハンドル８１、８１が設けられた手提げバッグの形態を呈しており、そのサイズも小さくはなく嵩張ることから、他にも手提げバッグや手持ちの荷物があるときは、手一杯となって、持ち運びが困難になることもある。
【０００６】
ところで、近時は、旅行や出張の際に携帯して飛行機の機内や新幹線の車内、宿泊先のホテル内等でくつろいで快適に過ごすために履用する靴が、仕事帰りに立ち寄るスポーツジムやトレーニングジム、フィットネスクラブ等でも履用されるなど様々な用途に使用されるようになっている。
【０００７】
この種の靴は、ソール（靴底部分）が、全体的に薄くて平坦な形状となっており、アッパー（靴の上部）が、柔軟性を有する皮革やＰＵ、ＰＶＣ、布等で作られて、押圧すると扁平に潰れて嵩の低い状態となるものが一般的であり、このような靴についても、その持ち運びに便利なシューズケースのニーズがある。
【先行技術文献】
【特許文献】
【０００８】
【特許文献１】実用新案登録第３０２２９５３号公報
【特許文献２】特開２００８−２２９１９８号公報
【特許文献３】意匠登録第１２７６３８１号公報
【考案の概要】
【考案が解決しようとする課題】
【０００９】
本考案は、押圧すると扁平に潰れた状態となる嵩の低い靴をコンパクトに収納して持ち運ぶことができる携帯に便利なシューズケースを提供すると同時に、当該シューズケースの販促効果が高められ、更には、シューズケースとセット販売する靴の販促効果も高められるようにすることを技術的課題としている。
【課題を解決するための手段】
【００１０】
上記課題を解決するために、本考案は、嵩の低い靴をそのアッパー同士を重ね合わせて収納するシューズケースであって、靴の片方を載せるトレー型のケース半体と、靴の他方を載せるトレー型のケース半体とが、それぞれ靴底の輪郭形状に形成されて左右線対称に配置され、ファスナーによって見開き状態に開閉される構成となっていることを特徴とする。
【考案の効果】
【００１１】
本考案に係るシューズケースは、ファスナーを閉じると、トレー型のケース半体に載せた嵩の低い靴がそのアッパー同士を重ね合わせた状態で収納されるから、靴一足分をコンパクトに収納することができ、片方の靴のソールに付着した汚れによって他方の靴のアッパーが汚されることもない。
【００１２】
また、本考案に係るシューズケースは、靴の片方を載せるトレー型のケース半体と、靴の他方を載せるトレー型のケース半体とが、ファスナーによって見開き状態に開閉される薄型でコンパクトな構成となっているから、持ち運び用の提げ手などを設ける必要もなく、旅行用バッグやビジネスバッグ、通勤カバンなどに入れて持ち運ぶことができ、携帯に便利である。
【００１３】
また、本考案に係るシューズケースは、そのケース半体が靴底の輪郭形状に形成されていることにより、ケース全体が需要者の注意を惹く靴底形の外観を呈するので、当該シューズケースの販促効果のみならず、当該シューズケースとセット販売する靴の販促効果も高められる。
【図面の簡単な説明】
【００１４】
【図１】本考案の実施例に係るシューズケースの外観を示す斜視図
【図２】本考案の実施例に係るシューズケースを見開き状態に開放したときの内面を示す平面図
【図３】本考案の実施例に係るシューズケースに収納する靴の一例を示す平面図
【図４】本考案の実施例に係るシューズケースを見開き状態に開放してトレー型のケース半体に靴を載せた状態を示す平面図
【図５】本考案の実施例に係るシューズケースを見開き状態に開放したときの外面を示す平面図
【図６】公知のシューズケースを例示する図
【考案を実施するための形態】
【００１５】
本考案の実施形態は、アッパーが柔軟な皮革やＰＵ、ＰＶＣ、布などで作られて、押圧すると扁平に潰れて嵩の低い状態となる靴をそのアッパー同士を重ね合わせた状態で収納するシューズケースであって、靴の左右片方を載せるトレー型のケース半体と、靴の他方を載せるトレー型のケース半体とが、それぞれ靴底の輪郭形状に形成されて左右線対称に配置され、ファスナーによって見開き状態に開閉される構成となっている。
【００１６】
なお、靴底の輪郭形状に右足と左足の区別・差異がある靴を収納するシューズケースにあっては、前記ケース半体の一方が、右足靴底の輪郭形状に形成され、ケース半体の他方が、左足靴底の輪郭形状に形成されている。
【００１７】
また、シューズケースの型崩れを防止してその外観体裁を保持するために、前記ケース半体が、定型性を有する天然皮革、人工皮革もしくは合成皮革によってトレー型に成形されている。
【００１８】
また、シューズケースを開閉する際に、シューズケースの中から前記ケース半体に載せた靴が不如意に飛び出して落下することを防止するために、前記ケース半体の内面に、靴の踵部もしくは爪先部を挿し込んで保持するホルダ部が設けられている。
【実施例】
【００１９】
本考案の実施例に係るシューズケース１は、靴底の輪郭形状に右足１０Ｒと左足１０Ｌの区別（差異）がある靴１０を収納するもので、靴１０の右足１０Ｒを載せるトレー型のケース半体１Ｒが、右足靴底の輪郭形状に形成され、靴１０の左足１０Ｌを載せるトレー型のケース半体１Ｌが、左足靴底の輪郭形状に形成され、それらケース半体１Ｒ、１Ｌが、左右線対称に配置されて、その双方を皮革片を介して接合する接合部２を支点としてファスナーＦで見開き状態に開閉される構成となっている。
【００２０】
また、靴１０は、そのアッパー１１が柔軟な天然皮革で作られており、押圧すると扁平に潰れて嵩の低い状態となる。
【００２１】
ファスナーＦは、ケース半体１Ｒ、１Ｌの周縁部に沿って縫い付けられたファスナーテープ２０、２０と、両ファスナーテープ２０、２０の端縁に沿って取り付けられたエレメント２１、２１を係脱させてファスナーＦを開閉するスライダー２２とで構成されている。
【００２２】
また、ケース半体１Ｒ、１Ｌは、定型性を有する天然皮革によってトレー型に成形され、その内面に、それぞれ靴１０の右足１０Ｒと左足１０Ｌの踵部１２を挿し込んで保持するポケット型のホルダ部３が設けられ、当該ホルダ部３によって、シューズケース１を開閉する際にそのケース内に収納された靴１０がケース外に飛び出して落下することが防止される。なお、ホルダ部は、靴１０の爪先部１３を挿し込んで保持するものであってもよい。
【００２３】
上記の如く構成されたシューズケース１は、ファスナーＦを閉じた図１の状態から、ファスナーＦを開けて図２に示す見開き状態とし、図３に示す靴１０の右足１０Ｒと左足１０Ｌの踵部１２をそれぞれトレー型のケース半体１Ｒ、１Ｌのホルダ部３に挿し込んで、図４に示す如く靴１０の右足１０Ｒと左足１０Ｌをケース半体１Ｒ、１Ｌに載せてから、ファスナーＦを閉める。
【００２４】
これにより、靴１０は、その右足１０Ｒと左足１０Ｌのアッパー１１、１１同士を重ね合わせた状態でシューズケース１内に収納されるから、靴一足分をコンパクトに収納することができると同時に、右足１０Ｒ（又は左足１０Ｌ）のソールに付着した汚れによって左足１０Ｌ（又は右足１０Ｒ）のアッパー１１が汚されるなどの不具合を生ずることが防止される。
【００２５】
また、シューズケース１は、トレー型のケース半体１Ｒ、１Ｌに靴１０の右足１０Ｒと左足１０Ｌを載せて、そのアッパー１１、１１同士を重ね合わせた状態で収納する薄型でコンパクトな構成となっているから、旅行用バッグやビジネスバッグ、通勤カバンなどに入れて持ち運ぶことができ、携帯に便利である。  
【００２６】
更に、シューズケース１は、図１の如くその全体が需要者の注意を惹く靴底形の外観を呈するので、当該シューズケースのみならず、当該シューズケースとセット販売する靴の販促効果も高められることが期待できる。
【００２７】
なお、本考案でいう靴の概念は、サンダル靴やスリッパ靴も包含するものである。
【符号の説明】
【００２８】
１…シューズケース
１Ｒ…ケース半体
１Ｌ…ケース半体
２…接合部
３…ホルダ部
１０…靴
１０Ｒ…靴の右足
１０Ｌ…靴の左足
１１…アッパー
１２…踵部
１３…爪先部
Ｆ…ファスナー
２０…ファスナーテープ
２１…エレメント
２２…スライダー
【図６】
0003209639.tif 000003
【図１】
0003209639.tif 000004
【図２】
0003209639.tif 000005
【図３】
0003209639.tif 000006
【図４】
0003209639.tif 000007
【図５】
0003209639.tif 000008